(57)【特許請求の範囲】
【請求項１】
中央側吸込みグリルとこの吸込みグリルの左右に一対の吹出口を有する本体と、熱交換器及び送風機とを備えた２方向吹出し形空気調和機において、前記熱交換器が前記一対の左右の吹出口に対して同じ長さとなるように配置され、前記吸込みグリルより吸い込まれた空気が前記送風機により前記熱交換器を通過して前記一対の吹出口に導かれる前記送風機の送風翼から前記一対の吹出口までの送風路が吹出口ごとに前記熱交換器を通過後に分割されて、前記一対の吹出口の一方の開口面積を可変にする吹出口可変調整機構と、前記吹出口ごとに分割された前記熱交換器の送風方向下流側の送風路の間を連通させるチャンバーを設けたことを特徴とする天井埋込形空気調和機。
【請求項２】
前記チャンバーは、前記一対の吹出口を本体ケースの側面に設けた第１カットアウト穴を介して本体ケース外で連通させるように設けたことを特徴とする請求項１記載の天井埋込形空気調和機。
【請求項３】
前記チャンバーは、前記熱交換器の下を通過する外気取入れ風路を介して本体内の前記送風機の吸い込み側へ連通された本体ケース側面に設けた第２カットアウト穴と外気取入れダクトとの中継風路であることを特徴とする請求項１記載の天井埋込形空気調和機。
【発明の詳細な説明】
【０００１】
【発明の属する技術分野】
この発明は２方向吹出し形空気調和機に係わり、特に快適な空調を実現するための吹出し風量調整を可能した天井埋込形空気調和機に関するものである。
【０００２】
【従来の技術】
図５は例えば特開平２−８６４８号公報に示された従来の天井埋込形空気調和機を示す垂直断面図、図６は天面１ａを取除いた状態の天井埋込形空気調和機を示す背面図である。図において、１は空気調和機本体ケース、２はこの本体ケースの開放面を閉塞している化粧板で、中央吸込みグリル２ａおよび４方向吹出口２ｂとを設けている。３はこれら吸込みグリル２ａおよび吹出口２ｂを仕切る仕切板４により形成された送風路である。５はこの送風路内を吸込み側１ｂと吹出し側１ｃとに区画し、前記仕切板４にドレンパン６を介して載置されている熱交換器。７は前記送風路３に設けた送風翼で、送風翼を回転駆動させる電動機８により前記本体ケース１天面１ａに装着固定されている。９は前記４方向吹出口２ｂの吹出口開口面積を可変調整にする吹出し調整板で、摺動レール２ｃにより伸長自在設けてある。
【０００３】
上記構成において電動機８が回転すると、室内空気は空気吸込みグリル２ａより吸入され、送風路３を経て熱交換器５へ吹き付けられ熱交換された後、空気吹出口２ｂより室内に吹出される。この時に空気調和機の設置状況に応じて吹出し調整板９によって吹出口２ｂの開口面積を調整し、吹出し風量を吹出面積ごとに変化させるようになっている。
【０００４】
図７は外気取入れを行うことが可能な他の従来例を示す空気調和機の垂直断面図であり、１は空気調和機本体ケース、２はこの本体ケースの開放面を閉塞している化粧板で、中央吸込みグリル２ａおよび４方向吹出口２ｂとを設けている。３はこれら吸込みグリル２ａおよび吹出口２ｂを仕切る仕切板４により形成された送風路である。５はこの送風路内を吸込み側１ｂと吹出し側１ｃとに区画し、前記仕切板４にドレンパン６を介して載置されている熱交換器。７はこの送風路に設けた送風翼で、送風翼を回転駆動させる電動機８により前記本体ケース１天面１ａに装着固定されている。１０は前記本体ケース１の一側面１ｄ下方に設けたカットアウト穴、１１は外気取入れダクト、１２は外気取入れ風路で、一方を前記カットアウト穴１０を開放した状態で、前記外気取入れ風路１２に連通接続され、他方を前記熱交換器５下方の仕切板４を貫通して送風路３と連通接続されている。
【０００５】
なお、図８に第３の従来例を示す空気調和機全体の垂直断面図においては、カットアウト穴１０を空気調和機本体ケース１の一側面１ｄ上方に設け、このカットアウト穴１０に外気取入れダクト１１を接続し、前記本体１内送風路３に連通した外気取入れ風路１２に連通して接続通風路１２ａを設けた構成としている。
【０００６】
上記構成において電動機８が回転すると、吸込みグリル２ａから室内空気が吸い込まれると共に、外気取入れダクト１１からカットアウト穴１０、外気取入れ風路１２を通して室外空気が取り込まれ、熱交換器５によって熱交換された後、吹出口２ｂより室内に吹出される。
【０００７】
【発明が解決しようとする課題】
従来の空気調和機は以上のように構成され、吹出し風量を吹出口ごとに調整できたが、吹出し調整板９によって吹出し口の圧力損失が増加し、吹出し風量が低下したり、風量の低下によって熱交換効率が低下するという問題点があった。
【０００８】
特に、２方向吹出し形空調機とした場合には、吹出口数が少ない上、熱交換器通過後の吹出し風路が吹出口ごとに分割されていて圧力損失を受けた空気の逃げ場が少ないため、風量や熱交換効率の低下が著しい等の問題があった。
【０００９】
また、外気取入れを行う場合には、外気取入れ風路１２が熱交換器５の下部を通る構造であるため、外気取入れ風路を図７に示すような形態にした場合には、外気取入れダクトとの接続口形状が高さ方向に制限され、また図７に示すように本体側面に風路を構成する場合には本体内部の構造が複雑になる等の問題があった。
【００１０】
この発明は上記の問題点を解消するよう、圧力損失の過大な増加を伴わずに、吹出口ごとの吹出し風量比可変の２方向吹出し形空気調和機を得ることを目的とする。
【００１１】
また、外気取入れの機構を上記の吹出し風量比を可変にする機構と兼用できるようにするものである。
【００１２】
【課題を解決するための手段】
この発明の天井埋込形空気調和機は、中央側吸込みグリルとこの吸込みグリルの左右に一対の吹出口を有する本体と、熱交換器及び送風機とを備えた２方向吹出し形空気調和機において、前記熱交換器が前記一対の左右の吹出口に対して同じ長さとなるように配置され、前記吸込みグリルより吸い込まれた空気が前記送風機により前記熱交換器を通過して前記一対の吹出口に導かれる前記送風機の送風翼から前記一対の吹出口までの送風路が吹出口ごとに前記熱交換器を通過後に分割されて、前記一対の吹出口の一方の開口面積を可変にする吹出口可変調整機構と、前記吹出口ごとに分割された前記熱交換器の送風方向下流側の送風路の間を連通させるチャンバーを設けたものである。
【００１３】
また、この発明の天井埋込形空気調和機は、チャンバーは、一対の吹出口を本体ケースの側面に設けた第１カットアウト穴を介して本体ケース外で連通させるように設けたものである。
【００１４】
また、この発明の天井埋込形空気調和機は、チャンバーは、熱交換器の下を通過する外気取入れ風路を介して本体内の送風機の吸い込み側へ連通された本体ケース側面に設けた第２カットアウト穴と外気取入れダクトとの中継風路である。
【００１６】
【発明の実施の形態】
実施の形態１
図１はこの発明の実施の形態１である天井埋込形空気調和機の垂直断面図、図２はこの発明の実施の形態１である天井埋込形空気調和機の天面を除いて示す背面図、図３（ａ）（ｂ）（ｃ）はそれぞれ吹出口可変調整機構の調整板の異なった実施例を示す説明図である。図において、１は空気調和機本体ケース、２はこの本体ケースの一方を閉塞している化粧板で、中央側吸込みグリル２ａおよび一対の左右方向吹出口２ｂとを設けている。３はこれら吸込みグリル２ａおよび一対の吹出口２ｂを仕切る仕切板４により形成された送風路である。５はこの送風路内を吸込み側１ｂと吹出し側１ｃとに区画し、前記仕切板４と共にドレンパン６を介して設置されている熱交換器。７は前記送風路３に設けた送風翼で、送風翼を回転駆動させる電動機８により前記本体ケース１天面１ａに装着固定されている。９は前記一対の吹出口の吹出口開口面積を可変調整する吹出口可変調整機構で、前記一対の吹出口２ｂのいずれか一方に設けられ、摺動レール２ｃを介して吹出し調整板を伸長自在に設けてある。１０は前記空気調和機本体ケース１の短辺側面１ｅに２方向吹出口２ｂとそれぞれ連通するよう設けた第１カットアウト穴、１３は前記本体ケース１の短辺側外側面に前記第１カットアウト穴１０を連通するように設けたチャンバーである。
【００１７】
前記吹出口可変調整機構は、吹出口の片端から伸長する図３（ａ）に示すような１枚の調整板９ａによるものでも、あるいは図３（ｂ）に示すような吹出口中央部が開口する吹出口両端から伸長する２枚の左右調整板９ａによるものでもよい。また、図３（ｃ）のように吹出口２ｂの長辺方向でも図３（ａ）（ｂ）のように短辺方向でもよい。
【００１８】
次に動作について説明する。上記構成において電動機８が回転すると、室内空気は空気吸込みグリル２ａより吸込まれ送風路３を通って、熱交換器５へ吹き付けられ熱交換する。熱交換した室内空気は、吹出口２ｂより室内に吹出されるようになっている。この時に空気調和機の設置状況に応じて吹出口可変調整機構９を任意で可動し吹出口の開口面積を狭めると、吹出口可変調整機構９を設置した側の吹出口２ｂの風路抵抗が増加し、空気は本体ケース１の２つのカットアウト穴１０を通じてチャンバー１３によるバイパス風を吹出口可変調整機構９が設置された側から吹出口可変調整機構９を設置していない側に流れ、吹出口可変調整機構９を設置した側の吹出し風量が減少し、逆に、吹出口可変調整機構９を設置しない側の吹出し風量が増加することにより、２個の吹出口の吹出し風量比が変化する。
【００１９】
また、吹出口可変調整機構９を全閉すれば吹出口可変調整機構９を設置した吹出口可変調整機構９を設置しない側から吹出し、１方向吹出しの形態となる。
【００２０】
実施の形態２
図４はこの発明の実施の形態２である天井埋込形空気調和機を示す垂直断面図である。図において、１０は前記空気調和機本体ケース１の短辺側面１ｅに２方向吹出口２ｂとそれぞれ連通するよう設けた第１カットアウト穴、１３は前記本体ケース１の短辺側外側面に前記カットアウト穴１０を連通するように設けたバイパス風路となる外気取入れチャンバー、１４は前記空気調和機本体ケース１の短辺側面１ｅの最下部に設けた第２カットアウト穴で、熱交換器５の下を通過する外気取入れ風路１２を介して本体１内の送風路３と連通されている。１５は前記外気取入れチャンバー１３に設けた第３カットアウト穴で、前記外気取入れダクト１１と連通させると共に、外気取入れダクト１１の中継風路として使用する場合には、空気調和機本体１の第１カットアウト穴１０を閉じたまま、外気取入れチャンバー１３の第３カットアウト穴１５を開口し、外気取入れダクト１１を接続する。
【００２１】
このように構成された空気調和機において、電動機８が回転すると送風翼７→吸込みグリル２ａ→熱交換器５→吹出口２ｂの順の空気の流れとともに、外気取入れダクト１１→外気取入れチャンバー１３の第３カットアウト穴１５→本体ケースの第２カットアウト穴１４→外気取入れ風路１２→熱交換器５→吹出口２ｂの空気の流れが生じ、室外空気が室内機に取り込まれる。
【００２２】
【発明の効果】
この発明の天井埋込形空気調和機は以上のように構成されているので、中央側吸込みグリルとこの吸込みグリルの左右に一対の吹出口を有する本体と、熱交換器及び送風機とを備えた２方向吹出し形空気調和機において、前記熱交換器が前記一対の左右の吹出口に対して同じ長さとなるように配置され、前記吸込みグリルより吸い込まれた空気が前記送風機により前記熱交換器を通過して前記一対の吹出口に導かれる前記送風機の送風翼から前記一対の吹出口までの送風路が吹出口ごとに前記熱交換器を通過後に分割されて、前記一対の吹出口の一方の開口面積を可変にする吹出口可変調整機構と、前記吹出口ごとに分割された前記熱交換器の送風方向下流側の送風路の間を連通させるチャンバーを設けた構成としたから、開口面積の調整による圧力損失の増大をおさえることにより、吹出し風量および熱交換器能力を低下させることなく吹出口ごとの吹出し風量比を可変することができ、例えば窓際に設置された場合などは、冷暖房の負荷の大きい窓側の吹出口からの風量を逆側よりも大きくすることによって快適性が向上し、また設置場所の制約も緩和される効果を有する。
【００２３】
また、この発明の天井埋込形空気調和機は、チャンバーは、一対の吹出口を本体ケースの側面に設けた第１カットアウト穴を介して本体ケース外で連通させるように設けた構成としたから、本体内送風路を圧迫することなく、吹出し風路を確保でき、十分な送風量を確実に確保でき、かつ、使用者が容易に風量調節をすることができる効果を有する。
【００２４】
また、この発明の天井埋込形空気調和機は、チャンバーは、熱交換器の下を通過する外気取入れ風路を介して本体内の送風機の吸い込み側へ連通された本体ケース側面に設けた第２カットアウト穴と外気取入れダクトとの中継風路である構成としたから、バイパス風路となるチャンバーを外気取入れ時の空気調和機本体と外気取入れダクトとの中継風路として兼用することができる。
【図面の簡単な説明】
【図１】  この発明の実施の形態１による天井埋込形空気調和機を示す垂直断面図である。
【図２】  この発明の実施の形態１による天井埋込形空気調和機を示す背面図である。
【図３】  この発明の実施の形態１による天井埋込形空気調和機の吹出口可変調整機構を示す要部斜視図並びに平面図である。
【図４】  この発明の実施の形態２を示す空気調和機の垂直断面図である。
【図５】  従来の空気調和機を示す垂直断面図である。
【図６】  従来の空気調和機を示す背面図である。
【図７】  第２従来例の空気調和機を示す垂直断面図である。
【図８】  第３従来例の空気調和機を示す垂直断面図である。
【  符号の説明】
１  空気調和機本体ケース、２  化粧板、２ａ  吸込みグリル、２ｂ  吹出口、３  送風路、４  仕切板、５  熱交換器、６  ドレンパン、７  送風翼、８  電動機、９  吹出口開口面積調整機構、１０  第１カットアウト穴、１１  外気取入れダクト、１２  外気取入れ風路、１３  チャンバー、１４  第２カットアウト穴、１５  第３カットアウト穴。
【図１】
0004399945.tif 000002
【図２】
0004399945.tif 000003
【図３】
0004399945.tif 000004
【図４】
0004399945.tif 000005
【図５】
0004399945.tif 000006
【図６】
0004399945.tif 000007
【図７】
0004399945.tif 000008
【図８】
0004399945.tif 000009